(57)【要約】【課題】着雪が脱落しやすい難着雪電線を提供する。【解決手段】難着雪電線１Ａにおいて、その最外層に撚り合わしたアルミ素線１３が有する複数の括れ部１３ａが、難着雪電線１Ａの撚り目２に沿う方向に繰り返す凹凸を成すので、その凹凸を撚り目２に沿って滑りそうになる雪の滑り止めとして機能させることで、難着雪電線１Ａに着雪した雪は撚り目２に沿って移動できずに、バランスを崩す大きさにまで積もった着雪が自重によって脱落しやすくなる。【選択図】図１
2011154916.tif 000002
【特許請求の範囲】
【請求項１】
複数の素線を撚り合わせてなる難着雪電線であって、
当該難着雪電線は、その難着雪電線の撚り目に沿う方向に凹凸を繰り返す外周面を有することを特徴とする難着雪電線。
【請求項２】
前記難着雪電線の外周面の凹凸を、前記素線の長さ方向と交差する複数の括れ部と節部の少なくとも一方で形成したことを特徴とする請求項１に記載の難着雪電線。
【請求項３】
複数の素線を撚り合わせる工程を有する難着雪電線の製造方法であって、
前記素線の撚り合わせ工程の前に、前記素線にその長さ方向と交差する複数の括れ部と節部の少なくとも一方を設けておくことを特徴とする難着雪電線の製造方法。
【請求項４】
複数の素線を撚り合わせてなる電線の外周面に、前記電線の撚り目と交差する方向に沿う複数の溝を形成することで、前記撚り目に沿う方向に繰り返す凹凸を形成することを特徴とする難着雪電線の製造方法。
【請求項５】
前記電線の外周面に、所定の凹凸面を有する圧接具を圧接することで、最外層に配した素線の表面に、その素線の長さ方向に繰り返す凹凸を形成することを特徴とする請求項４に記載の難着雪電線の製造方法。
【発明の詳細な説明】
【技術分野】
【０００１】
本発明は、難着雪電線及び難着雪電線の製造方法に関する。
【背景技術】
【０００２】
降雪により架空送電線Ｃの表面に雪Ｓが付着すると、図１１に示すように、付着した雪Ｓが自重によって架空送電線Ｃの撚り目に沿い移動することがある。そして、図１２に示すように、雪Ｓの付着と移動を繰り返すことで、架空送電線Ｃの周囲を覆うような筒雪に着雪が成長してしまうことがある。着雪量が増え、架空送電線Ｃにかかる着雪重量が架線張力の設計許容値を超えてしまうと、架空送電線Ｃが破断するなどのトラブルが生じる恐れがある。
【０００３】
その対策として、架空送電線の外周に難着雪リングを所定間隔毎に取り付けて、着雪の移動や成長を阻止する技術が知られている（例えば、特許文献１参照。）。
また、その長さ方向に沿う突条を形成した素線を架空送電線の最外層に撚り合わせ、架空送電線の表面に突出するヒレ部を設けることで、架空送電線への着雪を低減する技術が知られている（例えば、特許文献２参照。）。
【先行技術文献】
【特許文献】
【０００４】
【特許文献１】実公昭６２−１３３８５号公報
【特許文献２】特開平１０−２３６２５号公報
【発明の概要】
【発明が解決しようとする課題】
【０００５】
しかしながら、上記特許文献１の場合、架空送電線に多数の難着雪リングを取り付ける作業は高所作業であり、多大な労力と危険を伴うものであった。
また、上記特許文献２の場合、架空送電線の表面のヒレ部は、素線と一体に架空送電線の撚り目に沿うので、一旦着雪が生じてしまうと、その着雪が撚り目に沿って移動することがあり、依然として着雪が成長してしまう恐れがあった。
【０００６】
本発明の課題は、着雪が脱落しやすい難着雪電線及び難着雪電線の製造方法を提供することである。
【課題を解決するための手段】
【０００７】
以上の課題を解決するため、本発明の一の態様は、
複数の素線を撚り合わせてなる難着雪電線であって、
当該難着雪電線は、その難着雪電線の撚り目に沿う方向に凹凸を繰り返す外周面を有することを特徴としている。
【０００８】
この難着雪電線は、難着雪電線の撚り目に沿う方向に凹凸を繰り返す外周面を有しており、その凹凸を撚り目に沿って滑りそうになる雪の滑り止めとして機能させることができる。そして、難着雪電線に着雪した雪は、撚り目に沿って移動せずにその場に積もった雪の自重によって難着雪電線から脱落することになる。
つまり、この難着雪電線は、外周面の凹凸が抵抗になって撚り目に沿って移動できずにバランスを崩す大きさにまで積もった着雪が脱落しやすい構造を有しており、難着雪電線の外周面に許容量を超える大きさの着雪を生じさせないようになっている。
【０００９】
また、前記難着雪電線の外周面の凹凸を、前記素線の長さ方向と交差する複数の括れ部と節部の少なくとも一方で形成することが好ましい。
【００１０】
難着雪電線の最外層に配する素線の表面に、その素線の長さ方向と交差する複数の括れ部または複数の節部を設けることによって、その素線を撚り合わせた電線において、その括れ部または節部を難着雪電線の撚り目に沿って繰り返す凹凸とすることができる。そして、括れ部または節部を撚り目に沿って滑りそうになる雪の滑り止めとして機能させて、着雪が脱落しやすい難着雪電線とすることができる。
【００１１】
また、本発明の他の態様は、複数の素線を撚り合わせる工程を有する難着雪電線の製造方法であって、
前記素線の撚り合わせ工程の前に、前記素線にその長さ方向と交差する複数の括れ部と節部の少なくとも一方を設けておくことを特徴としている。
【００１２】
この難着雪電線の製造方法によれば、難着雪電線の最外層に撚り合わせた素線の表面に形成された複数の括れ部または複数の節部が、難着雪電線の撚り目に沿って繰り返す凹凸になる。
そして、この製造方法によって製造された難着雪電線は、その撚り目に沿って繰り返す凹凸を撚り目に沿って滑りそうになる雪の滑り止めとして機能させて、着雪が自重により脱落しやすい電線になる。
【００１３】
また、本発明の他の態様は、難着雪電線の製造方法であって、
複数の素線を撚り合わせてなる電線の外周面に、前記電線の撚り目と交差する方向に沿う複数の溝を形成することで、前記撚り目に沿う方向に繰り返す凹凸を形成することを特徴としている。
【００１４】
この難着雪電線の製造方法によれば、電線の外周面に、その電線の撚り目と交差する方向に沿う複数の溝を形成することによって、撚り目に沿う方向に凹凸を繰り返す外周面を有する難着雪電線を得ることができる。
そして、この製造方法によって製造された難着雪電線は、外周面の凹凸を撚り目に沿って滑りそうになる雪の滑り止めとして機能させて、着雪が自重により脱落しやすい電線になる。
【００１５】
また、前記電線の外周面に、所定の凹凸面を有する圧接具を圧接することで、最外層に配した素線の表面に、その素線の長さ方向に繰り返す凹凸を形成することが好ましい。
【００１６】
電線の最外層に配した素線の表面に形成した、その素線の長さ方向に繰り返す凹凸は、難着雪電線の撚り目に沿う方向に繰り返す凹凸であるので、電線の外周面に圧接具を圧接することで製造した難着雪電線は、着雪が自重により脱落しやすい電線になる。
【発明の効果】
【００１７】
本発明によれば、難着雪電線は、難着雪電線の撚り目に沿う方向に凹凸を繰り返す外周面を有するので、その凹凸を撚り目に沿って滑りそうになる雪の滑り止めとして機能させることができる。そして、難着雪電線に着雪した雪は、撚り目に沿って移動せずにその場に積もった雪の自重によって難着雪電線から脱落することになる。
このように、難着雪電線は、撚り目に沿う方向に繰り返す凹凸が抵抗になって移動できずにバランスを崩す大きさにまで積もった着雪を脱落させやすくなっており、難着雪電線の外周面に許容量を超える大きさの着雪を生じさせないようにすることができる。
【図面の簡単な説明】
【００１８】
【図１】本発明の実施形態１に係る難着雪電線を示す側面図である。
【図２】図１のII−II線における断面図である。
【図３】複数の括れ部を備えるアルミ素線を示す斜視図である。
【図４】難着雪電線から着雪が脱落する過程を示す説明図である。
【図５】複数の節部を備えるアルミ素線を示す斜視図である。
【図６】実施形態１の難着雪電線の変形例を示す断面図である。
【図７】本発明の実施形態２に係る難着雪電線を示す側面図である。
【図８】図７のVIII−VIII線における断面図である。
【図９】難着雪電線の製造方法を示す説明図である。
【図１０】実施形態２の難着雪電線の変形例を示す側面図であり、横方向の溝を有するもの（ａ）、縦横方向の溝を有するもの（ｂ）、略＃形状の溝を有するもの（ｃ）である。
【図１１】従来の電線において、着雪が撚り目に沿って移動する状態を示す説明図である。
【図１２】従来の電線において、着雪が成長する過程を示す説明図である。
【発明を実施するための形態】
【００１９】
以下に、本発明を実施するための好ましい形態について図面を用いて説明する。但し、以下に述べる実施形態には、本発明を実施するために技術的に好ましい種々の限定が付されているが、本発明の範囲を以下の実施形態及び図示例に限定するものではない。
【００２０】
（実施形態１）
図１は、難着雪電線１Ａを示す側面図であり、図２は、難着雪電線１Ａの断面図である。
図１、図２に示すように、難着雪電線１Ａは、複数の素線を撚り合わして形成した電線である。
難着雪電線１Ａは、例えば、複数の鋼素線１１を撚り合わせたテンションメンバ１０の周囲に、複数のアルミ素線１２、１３を撚り合わせてなる電線であり、鋼心アルミ撚り線（ＡＣＳＲ；Aluminium Conductors Steel Reinforced）の形態を成している。
この難着雪電線１Ａの最外層に配しているアルミ素線１３は、図３に示すように、素線の長さ方向に所定間隔毎に設けた複数の括れ部１３ａを備えている。
括れ部１３ａは、アルミ素線１３の長さ方向と交差し、素線の軸心に向かって括れた環状の凹部である。例えば、ＡＣＳＲ１６０ｍｍ２の場合、アルミ素線１３の外径は２．６ｍｍであり、括れ部１３ａは深さ０．２ｍｍに形成する。なお、アルミ素線１３の外径寸法に対して１０％以上の深度を有する括れ部１３ａを設けた場合、そのアルミ素線１３が破断しやすくなり、難着雪電線１Ａの引張強度が低下する恐れがあるので、括れ部１３ａの深さは素線の外径寸法の１０％を上限とすることが好ましい。
【００２１】
この複数の括れ部１３ａを備えたアルミ素線１３を最外層に撚り合わせた難着雪電線１Ａは、図１に示すように、無数の括れ部１３ａが難着雪電線１Ａの撚り目２の間に設けられた構造を有する。
そして、アルミ素線１３の括れ部１３ａが難着雪電線１Ａの外周面において撚り目２に沿う方向に繰り返す凹部となり、相対的にアルミ素線１３の周面が凸部となるので、難着雪電線１Ａは、撚り目２に沿う方向に凹凸を繰り返す外周面を備える構造を有する。
このような構造の難着雪電線１Ａでは、降雪時に難着雪電線１Ａの外周面に着雪した雪Ｓが難着雪電線１Ａの撚り目２に沿って滑りそうになっても、撚り目２に沿って繰り返す凹凸を成す括れ部１３ａが滑り止めになるので、その雪Ｓは移動できずにその場に留まる。
【００２２】
このように、難着雪電線１Ａは、撚り目２と交差する複数の括れ部１３ａを外周面に有しているので、図４に示すように、難着雪電線１Ａに着雪した雪Ｓは、括れ部１３ａが成す凹凸が抵抗となって撚り目２に沿って移動できない。その後、降雪が続き、その雪Ｓに対して更に着雪が進行すると、高く積もった雪Ｓが風を受けたり、その雪Ｓ自体の重心がずれたりする。その結果、移動できずにその場に積もった雪Ｓのバランスが崩れて、着雪した雪Ｓは自重によって難着雪電線１Ａから脱落することになる。
【００２３】
以上のように、難着雪電線１Ａは、その外周面に難着雪電線１Ａの撚り目２に沿って繰り返す凹凸を成す括れ部１３ａを有し、その括れ部１３ａを撚り目２に沿って滑りそうになる雪の滑り止めとして機能させることができる。そして、難着雪電線１Ａに着雪した雪は、撚り目２に沿って移動せずに積もった雪の自重によって難着雪電線１Ａから脱落する。
つまり、難着雪電線１Ａは、撚り目２に沿う方向に凹凸を繰り返す外周面を有することで、バランスを崩す大きさに積もった着雪が脱落しやすい構造になっている。そして、難着雪電線１Ａに着雪する雪が、筒雪のように許容量を超える大きさに成長することはないので、着雪によって難着雪電線１Ａが破断してしまうことを低減することができる。
【００２４】
なお、本発明は上記実施形態に限られるものではない。
例えば、図５、図６に示すように、素線の長さ方向に所定間隔毎に設けた複数の節部１３ｂを備えるアルミ素線１３を最外層に撚り合わせた難着雪電線１Ｂであってもよい。
具体的に、節部１３ｂは、アルミ素線１３の長さ方向と交差し、素線の表面から突出した環状の凸部である。そして、複数の節部１３ｂを備えたアルミ素線１３を最外層に配した難着雪電線１Ｂは、無数の節部１３ｂが難着雪電線１Ｂの撚り目２の間に設けられた構造を有する。そして、その節部１３ｂが難着雪電線１Ｂの外周面において撚り目２に沿う方向に繰り返す凸部となり、相対的にアルミ素線１３の周面が凹部となるので、難着雪電線１Ｂは、撚り目２に沿う方向に凹凸を繰り返す外周面を備える構造を有する。
このような難着雪電線１Ｂであっても、撚り目２に沿って繰り返す凹凸を成す節部１３ｂを、撚り目２に沿って滑りそうになる雪の滑り止めとして機能させることができるので、所定量以上に積もった着雪が脱落しやすい構造を有する難着雪電線とすることができる。
【００２５】
また、複数の括れ部１３ａと複数の節部１３ｂの両方を備えるアルミ素線１３を最外層に撚り合わせた難着雪電線であっても、着雪が脱落しやすい構造を有する難着雪電線とすることができる。
【００２６】
（実施形態２）
次に、本発明に係る難着雪電線の実施形態２について説明する。なお、実施形態１と同一部分には同一符号を付し、異なる部分について説明する。
【００２７】
図７は、難着雪電線１Ｃを示す側面図であり、図８は、難着雪電線１Ｃの断面図である。
難着雪電線１Ｃは、その外周面に難着雪電線１Ｃの長さ方向に沿う複数の溝１５ａを備えている。
複数の溝１５ａは、最外層に撚り合わしたアルミ素線１５の長さ方向及び撚り目２と交差する方向に延在しており、その波状の溝１５ａが難着雪電線１Ｃの外周面において撚り目２に沿う方向に繰り返す凹凸となる。
【００２８】
このように、難着雪電線１Ｃは、その外周面に難着雪電線１Ｃの撚り目２に沿う方向に繰り返す凹凸を成す複数の溝１５ａを有し、その複数の溝１５ａを撚り目２に沿って滑りそうになる雪の滑り止めとして機能させることができる。そして、難着雪電線１Ｃに着雪した雪は、撚り目２に沿って移動せずに積もった雪の自重によって難着雪電線１Ｃから脱落することになるので、この難着雪電線１Ｃも着雪が脱落しやすい構造であるといえる。
【００２９】
次に、難着雪電線１Ｃの製造方法について、図９を参照して説明する。
まず、断面が円形状を呈する複数の素線（鋼素線、アルミ素線）を撚り合わせてなる電線５０を形成する。なお、この段階では、最外層のアルミ素線１５も円形断面を有している。
次いで、三角波型状の凹凸面を側面に有するローラー（圧接具）１００を、その電線５０の外周面に圧接することで、電線５０の最外層に撚り合わしたアルミ素線１５の表面にローラー１００の凹凸面に対応する凹凸である複数の溝１５ａを形成する。こうして電線５０の表面にアルミ素線１５の長さ方向に繰り返す波状の凹凸を形成することで、撚り目２に沿う方向に凹凸を繰り返す外周面を有する難着雪電線１Ｃを製造することができる。
【００３０】
具体的には、例えば、図９に示すように、対を成しているローラー１００の隙間を電線５０の外径よりも狭くしたローラー１００間に電線５０を通すことで、そのローラー１００で挟み込んだ電線５０の表面に複数の溝１５ａを形成する。そして、例えば、４工程を経て４対のローラー１００で４方向から電線５０を挟み込み、各ローラー１００間を通過させた電線５０の全周に複数の溝１５ａからなる凹凸を形成することで、難着雪電線１Ｃを製造する。
【００３１】
以上のように、本実施形態によれば、円形断面を有する複数の素線を撚り合わした電線５０に対して、所定の凹凸面を有するローラー１００を圧接する後加工を施すことで、その電線５０の外周面に複数の溝１５ａを形成し、撚り目２に沿う方向に凹凸を繰り返す外周面を有する難着雪電線１Ｃを製造することができる。
つまり、予め任意の電線５０を製造しておけば、後加工によってその外周面に凹凸を形成して難着雪電線１Ｃとすることができるので、様々なタイプの難着雪電線を容易に製造することが可能になる。
また、電線５０の表面に凹凸（溝１５ａ）を形成する工程は、電線の外周に難着雪リングを取り付ける作業に比べて容易であり、安価に難着雪電線１Ｃを製造することができる。
【００３２】
なお、本発明は上記実施形態に限られるものではない。
例えば、図１０（ａ）に示すように、電線の外周面の周方向に沿う複数の溝１５ｂを形成することで、撚り目２に沿う方向に凹凸を繰り返す外周面を有する難着雪電線１Ｄを製造してもよい。
また、例えば、図１０（ｂ）に示すように、電線の長さ方向と外周面の周方向にそれぞれ沿う複数の溝１５ｃを形成することで、撚り目２に沿う方向に凹凸を繰り返す外周面を有する難着雪電線１Ｅを製造してもよい。
また、例えば、図１０（ｃ）に示すように、断続的に電線の長さ方向に沿う溝と、断続的に電線の外周面の周方向に沿う溝とが組み合わされてなる、略「＃」形状を呈する複数の溝１５ｄを形成することで、撚り目２に沿う方向に凹凸を繰り返す外周面を有する難着雪電線１Ｆを製造してもよい。
【００３３】
なお、難着雪電線を製造する際に、電線の表面に凹凸（溝）を形成する工程は、工場で行なうことが好ましいが、既に電線が架線されている場合、凹凸の付いたローラーで電線を挟み込み、その架線された電線に沿ってローラーを移動させることにより、電線に凹凸を付与するようにしてもよい。
【００３４】
また、本発明にかかる難着雪電線（１Ａ〜１Ｆ）は、その外周面に括れ部１３ａ、節部１３ｂ、溝１５ａ〜１５ｄに応じた凹凸を有するため、その難着雪電線の表面凹凸により風の流路が乱れることになって、電線から発生する風音が低減し、また電線の微風振動が低減し、また電線に作用する風圧荷重が低減することも期待できる。
また、難着雪電線の表面凹凸により、電線の表面積が増大することになって熱放散特性が向上するので、電線の電流容量が増大することも期待できる。
このように難着雪電線（１Ａ〜１Ｆ）は、着雪を脱落させやすいことに加え、上記のようなメリットも期待できる。
【００３５】
なお、以上の実施の形態においては、圧接具として三角波型状の凹凸面を有するローラーを用いて難着雪電線を製造したが、本発明はこれに限定されるものではなく、圧接具はその他任意のプレス機などであってよく、その圧接方法も任意の手法で行なってもよい。
【００３６】
また、電線の表面に凹凸（溝）を形成する手法は、電線に圧接具を圧接することに限らず、例えば、切削具を用いて電線の表面に筋状の溝を形成することや、電線の表面の一部を熔解するなど変形させて筋状の溝を形成することなど、任意の手法でよい。
【００３７】
また、その他、具体的な細部構造等についても適宜に変更可能であることは勿論である。
【符号の説明】
【００３８】
１Ａ、１Ｂ、１Ｃ、１Ｄ、１Ｅ、１Ｆ  難着雪電線
２      撚り目
１１    鋼素線（素線）
１２    アルミ素線（素線）
１３    アルミ素線（素線）
１３ａ  括れ部（凹凸）
１３ｂ  節部（凹凸）
１５    アルミ素線（素線）
１５ａ、１５ｂ、１５ｃ、１５ｄ  溝（凹凸）
１００  ローラー（圧接具）
Ｓ      雪
【図１】
2011154916.tif 000003
【図２】
2011154916.tif 000004
【図３】
2011154916.tif 000005
【図４】
2011154916.tif 000006
【図５】
2011154916.tif 000007
【図６】
2011154916.tif 000008
【図７】
2011154916.tif 000009
【図８】
2011154916.tif 000010
【図９】
2011154916.tif 000011
【図１０】
2011154916.tif 000012
【図１１】
2011154916.tif 000013
【図１２】
2011154916.tif 000014